(57)【要約】【課題】照明灯を備える傘の柄を提供する。【解決手段】本体部１、台座２０、接合座２１、および、灯座２２を有する。本体部１は、中空の筒状に形成され、内壁に凹入環囲１３を有する。台座２０は、照明灯２を支持し、下端接近部に突出環囲２００が設けられる。接合座２１は、照明灯２と台座２０とを接続し、下端に外ねじ山２１０が設けられ、外ねじ山２１０の下端部に金属環２１３が設けられている。灯座２２は、照明灯２と電気的に接続可能である。照明灯２は本体部１の内部に収容可能である。【選択図】図２
0003172353.tif 000002
【実用新案登録請求の範囲】
【請求項１】
中空の筒状に形成され、内壁に凹入環囲を有し、前記凹入環囲にねじ山が形成されている本体部と、
前記本体部の内部に収容可能な照明灯と、
前記照明灯を支持し、下端接近部に突出環囲が設けられ、前記突出環囲の下方に多角柱体が設けられ、上方に凹入環囲が設けられ、内底部に金属片が固接されている弾性素子が設けられている台座と、
前記照明灯と前記台座とを接続し、下端に外ねじ山が設けられ、当該外ねじ山の下端部に金属環が設けられ、内部に１つの導電部が凸設され、上中間部に延伸部が凸設され、当該延伸部の中間に穿孔が設けられ、前記延伸部の片側に外弧縁が設けられ、前記延伸部の前記穿孔の外囲に弧形金属片が設けられている接合座と、
前記照明灯と電気的に接続可能であり、下端に凹槽が凹設され、下端に穿孔が設けられ、当該穿孔の両端の外側に凹入環囲が設けられ、前記凹槽の両側に前記延伸部の前記弧形金属片と対応する金属片が設けられている灯座と、
前記照明灯は前記本体の内部に収容可能であることを特徴とする傘の柄。
【請求項２】
前記多角柱体は、三角以上の柱体であることを特徴とする請求項１に記載の傘の柄。
【請求項３】
前記弾性素子に固接されている前記金属片は、前記台座の内縁に固設され、上に向かって前記凹入環囲の近接部まで延伸し、内部に向かって一部が突出することを特徴とする請求項１に記載の傘の柄。
【請求項４】
前記接合座の下端にある前記外ねじ山の上端部に凹入環囲が設けられ、中にシールリングを収容することを特徴とする請求項１に記載の傘の柄。
【請求項５】
前記接合座の穿孔と前記灯座の穿孔とを支軸で穿設して固定することによって、前記照明灯の前記灯座を回転させ、前記照明灯の照明角度または方向を調整することを特徴とする請求項１に記載の傘の柄。
【請求項６】
前記弧形金属片の弧度は９０度以上であって、前記灯座が回転するとき、前記接合座との電気的接続が維持されることを特徴とする請求項１に記載の傘の柄。
【考案の詳細な説明】
【技術分野】
【０００１】
本考案は傘の柄に関する。
【背景技術】
【０００２】
従来の傘の柄、例えば特許文献１に記載の傘の柄は、電池セット及びサーチライト用替電球を設ける。その中の電池セットを傘の柄の中空部に嵌め込み、更に傘の柄のボディシェルの外縁に上下移動ができるスイッチを設ける。サーチライト用替電球の内部にＬＥＤ灯を設け、その上縁に軸桿を設けることによって、傘の柄と組み合わせて擺動する。傘骨の下縁と傘の柄がかぶり合う一部の傘骨に外ねじ山を設け、傘の柄に内ねじ山を設けることによって、互いに螺合し、かついつでも取付け・取り外す自由である。基部のねじ穴内に付けられるＬＥＤ灯の尾端の陰端子と軸桿が接触すると通電する。サーチライト用替電球の上端に軸桿を設け、その両端の伸縮体が内縮すると、方形体に設計された傘の柄の下縁にある２つの穿を組み合わせてかぶり合うことによって、軸桿の両端にある伸縮体がバネの作用を受ける。その外径が比較的小さい一部が穿孔から伸び出し、かつその中に被り付かれるゴムワッシャーと緊密に重ね合ってから、サーチライト用替電球を制御することによって、軸桿の締付けが緩くなるために起こる揺れや緩みを防ぐ。かつ傘の柄の下縁はサーチライト用替電球の擺動方向に従って、弧形体を形成するので、手でサーチライト用替電球を制御すると、左右に動かすことができる。その中で、サーチライト用替電球の軸桿と電池セットの正極が接触して導通し、このときの全ての回路は、スイッチに設けられる導電銅片の下端だけが残され、その下端が内部に向かって曲がる銅片一部が下方に移動し、ＬＥＤ灯の正極体と接触して導通すると、導通回路が形成される。
【先行技術文献】
【特許文献】
【０００３】
【特許文献１】台湾特許公報第２２７０９９号明細書
【考案の概要】
【考案が解決しようとする課題】
【０００４】
しかし、従来の照明可能な傘の柄の構造は、傘の柄の代わりに懐中電灯を使うので、その傘の柄は普段、外部に暴露され、かつそのサーチライト用替電球を左・右に動かすのは、ゴムワッシャーの摩擦力によって維持し、サーチライト用替電球はよく外力の影響を受け、常に搖動するので、ゴムワッシャーは短期間のうちに消耗されてしまうので、サーチライト用替電球の左右移動は維持されない。かつ、使用者がその傘を使用するとき、雨水はスイッチ３及びサーチライト用替電球の軸桿部を経由して、懐中電灯内に浸入し易く、漏電する危険性がある上、懐中電灯も壊されやすくなる。また傘の柄の代わりに懐中電灯を使うので、使用者が懐中電灯を取り外すとき、その傘の柄が無くなり、不便になる。ゆえに、もし同時に雨傘と懐中電灯を使用したい場合、雨傘と懐中電灯を組み合わせる場合のみ、使用することができ、別々に使用することができない。またその懐中電灯のスイッチは傘の柄部に位置しているために、使用者が雨傘を使用するとき、スイッチに触れ易く、不便さを感じる。
【０００５】
そのために本考案者は、長年製品の設計・製造に携わってきた経験を生かし、上記のよく知られた欠点を研究し、本考案を創作した。
【０００６】
本考案の目的は、照明灯を備える傘の柄を提供することにある。
【課題を解決するための手段】
【０００７】
本考案の傘の柄は、本体部、台座、接合座、および、灯座を有する。本体部は、中空の筒状に形成され、内壁に凹入環囲を有し、凹入環囲にねじ山が形成されている。台座は、照明灯を支持し、下端接近部に突出環囲が設けられ、突出環囲の下方に多角柱体が設けられ、上方に凹入環囲が設けられ、内底部に金属片が固接されている弾性素子が設けられている。接合座は、照明灯と台座とを接続し、下端に外ねじ山が設けられ、外ねじ山の下端部に金属環が設けられ、内部に導電部が凸設され、上中間部に１つの延伸部が凸設され、延伸部の中間に穿孔が設けられ、延伸部の片側に外弧縁が設けられ、延伸部の前記穿孔の外囲に弧形金属片が設けられている。灯座は、照明灯と電気的に接続可能であり、下端に凹槽が凹設され、下端に穿孔が設けられ、穿孔の両端の外側に凹入環囲が設けられ、凹槽の両側に延伸部の弧形金属片と対応する金属片が設けられている。照明灯は本体の内部に収容可能である。
【０００８】
本考案の傘の柄は、照明灯の台座に金属片を設け、接合座の金属環と接触することによって、照明灯が点灯または消灯する。支軸により接合座と灯座の穿孔を穿設して固定することによって、照明灯の灯座を回転させ、照明灯の照明角度または方向を調整する。更に接合座の延伸部の片側に外弧縁を設け、照明灯を０〜９０度に回転させてから、接合座の弧形金属片と灯座の金属片を利用し、照明灯を回転させることによって、電気的接続を維持する。
本考案の傘の柄は、消灯するとき、台座と接合座が互いにシールリング部まで螺合すると、台座と接合座の接合部の緩み及び浸水防止効果を実現することができる。照明灯を点灯するとき、更に台座を金属片と金属環が互いに接触するまで締付けると、回転機能を有する照明灯が点灯する。また、夜間使用の場合は、照明灯と雨傘を組み合わせて使うか、別々に使うことができる。普段は照明灯を傘の柄の内部に隠して収納し、照明灯を保護することのよって、照明灯が壊れることを抑制することができる。
【図面の簡単な説明】
【０００９】
【図１】本考案の一実施形態の傘の柄の断面図である。
【図２】図１のＡ−Ａ線断面図である。
【図３】図２のＡ部の部分拡大図である。
【図４】本考案の一実施形態の照明灯の点灯状態を示す断面図である。
【図５】図４のＢ部の部分拡大図である。
【図６】本考案の一実施形態の応用例である。
【図７】本考案の一実施形態の応用例である。
【考案を実施するための形態】
【００１０】
本考案の一実施形態による傘の柄を図１〜５に基づいて説明する。
本体部１は中空状であり、中に照明灯２を収容する。本体部１は、上端に穿孔１０が設けられ、穿孔１０に内ねじ山１００が設けられることによって、雨傘の主支桿１１と互いに螺合する。またキャップナット１２により、本体部１の内部に本体部１と主支桿１１を締め固定すると、本体部１と雨傘の組み合わせが完成される。本体部１の下端にある内壁面には凹入環囲１３が設けられ、凹入環囲１３に内ねじ山１３０が設けられている。照明灯２の台座２０をボルトで止め、中空状の本体部１を利用することによって、照明灯２が隠され、壊れにくくなる。
【００１１】
照明灯２に台座２０が設けられ、その台座２０の下端接近部に突出環囲２００が設けられている。上記の突出環囲２００に外ねじ山２０１が設けられ、本体部１の内壁の凹入環囲１３にある内ねじ山１３０とボルトで止められている。また上記の突出環囲２００の下方に多角柱体２０２が設けられ、その多角柱体２０２は図１に示す八角柱体、または三角以上の柱体である。多角柱体２０２により、照明灯２を締付けるか取り出すときに便利であり、滑り止め効果が達成される。更に上記の台座２０の上方に凹入環囲２０３が設けられ、上記の凹入環囲２０３に内ねじ山２０４が設けられ、接合座２１をボルト止める。台座２０の内底部に弾性素子２０５が設けられ、弾性素子２０５と電池２３の負極一部とが接触する。弾性素子２０５に導電金属片２０６を固接し、台座２０の内縁に固定設置する。金属片２０６は上に向かって凹入環囲２０３の近接部まで延伸し、内部に向かって一部が突出する（図３参照）。
【００１２】
上記の照明灯２に接合座２１が設けられ、接合座２１の下端に外ねじ山２１０が設けられる。外ねじ山２１０の上端部に凹入環囲２１１が設けられ、中にシールリング２１２を収容する。上記の外ねじ山２１０の下端部に導電金属環２１３が設けられ、台座２０の金属片２０６と接触する。上記の金属環２１３に１つのワイヤと接続する突出部２１４を有し、上記の接合座２１の内部に導電部２１５を凸設することによって、電池２３の正極一部と接触する。接合座２１の上中間部に延伸部２１６が凸設され、延伸部２１６の前端は円弧状であり、上記の延伸部２１６の中間に１つの穿孔２１７を設け、灯座２２と支軸２４として穿設して固定することによって、照明灯２の灯座２２を回転させ、照明の方向を変える。上記の延伸部２１６の片側に外弧縁２１８を設け、灯座２２の片側と互いに頂部を支える。その外弧縁２１８を利用することによって、灯座の回転角度を０〜９０度の間にし、延伸部２１６の穿孔２１７の外囲に弧形金属片２１９が設けられ、弧形金属片２１９の弧度は９０度以上であって、灯座２２が回転するとき、接合座２１との電気的接続が維持される（図５、６参照）。
【００１３】
照明灯２に灯座２２を設け、その灯座２２の下端に接合座２１の延伸部２１６と相容れるために凹槽２２０を凹設する。灯座２２の下端に上記の延伸部２１６の穿孔２１７と対応する穿孔２２１が設けられ、上記の穿孔２２１の両端の外側に凹入環囲２２２が設けられ、支軸２４で接合座２１と灯座２２を穿孔２１７及び穿孔２２１を穿設することによって、使用者のニーズにより灯座２２の回転を緩めるか締めるかを調整することができるので、転軸部が緩むために、角度固定できない問題は生じない。上記の灯座２２の凹槽２２０の両側に上記の延伸部２１６の弧形金属片２１９と対応する金属片２２３が設けられ、ワイヤでその金属片２２３と基板２２４を接続することによって、ＬＥＤ灯２２５を通電・発光させる。更に灯座２２の上端に１つのランプカバー２２６を設けることによって、透光板２２７と灯座２２を螺合して締付ける。
【００１４】
よって本考案の照明灯２を使用しないとき、照明灯２を内部に向かってボルト止めすることによって、照明灯２を本体部１の中に隠し、使用するとき、照明灯２を逆方向に本体部１の下方にボルト止めする。照明灯２を使用するとき、台座２０と接合座２１とを互いにシールリング２１２部まで螺合するでけで、照明灯は消灯状態を維持し、また台座２０と接合座２１の接合座が緩むことなく、浸水防止効果（図２及び３に示すように）を実現することができる。照明灯を点灯するとき、台座２０を金属片２０６と金属環２１３が互いに接触するまで締付けると通電され、照明灯が点灯する（図４及び５に示すように）。本考案の照明灯を有する雨傘を夜間に使用する場合は、照明灯と雨傘とを組み合わせて一緒に使用（図６及び７に示すように）、または別々に使うことができる。普段は照明灯を傘の柄の内部（図１に示すように）に隠し収納し、照明灯を保護することによって、照明灯が壊されることを抑制することができる。
【符号の説明】
【００１５】
１    ・・・本体、
１０  ・・・穿孔、
１００・・・内ねじ山、
１１  ・・・主支桿、
１２  ・・・キャップナット、
１３  ・・・凹入環囲、
１３０・・・内ねじ山、
２    ・・・照明灯、
２０  ・・・台座、
２００・・・突出環囲、
２０１・・・外ねじ山、
２０２・・・多角柱体、
２０３・・・凹入環囲、
２０４・・・内ねじ山、
２０５・・・弾性素子、
２３  ・・・電池、
２０６・・・金属片、
２１  ・・・接合座、
２１０・・・外ねじ山、
２１１・・・凹入環囲、
２１２・・・シールリング、
２１３・・・金属環、
２１４・・・突出部、
２１５・・・導電部、
２１６・・・延伸部、
２１７・・・穿孔、
２４  ・・・支軸、
２１８・・・外弧縁、
２１９・・・弧形金属片、
２２  ・・・灯座、
２２０・・・凹槽、
２２１・・・穿孔、
２２２・・・凹入環囲、
２２３・・・金属片、
２２４・・・基板、
２２５・・・ＬＥＤ灯、
２２６・・・ランプカバー、
２２７・・・透光板
【図１】
0003172353.tif 000003
【図２】
0003172353.tif 000004
【図３】
0003172353.tif 000005
【図４】
0003172353.tif 000006
【図５】
0003172353.tif 000007
【図６】
0003172353.tif 000008
【図７】
0003172353.tif 000009